(57)【要約】【課題】手が汚れたり、損傷したりすることなく、生ゴミ中の水分を確実に絞り取る。【解決手段】本発明に係る水切り器１０は、生ゴミを収容した有孔の水切り袋１１を一時的に収容する有孔の水切り容器１２を備え、水切り容器１２は、底板１３と周壁１４とを有し、上方が開口されており、周壁１３の上端から下方に向かってスリット状の切欠部１６が形成されており、前記生ゴミを収容した水切り袋１１の上部１８を上方から切欠部１６に挿入し、外側に引っ張ることにより、水切り袋１１内の生ゴミ中の水分が絞り取られ、水切り袋１１の孔及び水切り容器１２の孔１５を通って水切り容器１２外へ排出されるように構成されていることを特徴とする。【選択図】図１
2011006187.tif 000002
【特許請求の範囲】
【請求項１】
生ゴミを収容した有孔の水切り袋を一時的に収容する有孔の水切り容器を備え、該水切り容器は、底板と周壁とを有し、上方が開口されており、前記周壁の上端から下方に向かってスリット状の切欠部が形成されており、前記生ゴミを収容した水切り袋の上部を上方から前記切欠部に挿入し、外側に引っ張ることにより、前記水切り袋内の生ゴミ中の水分が絞り取られ、前記水切り袋の孔及び前記水切り容器の孔を通って該水切り容器外へ排出されるように構成されていることを特徴とする水切り器。
【請求項２】
前記水切り容器の側壁には前記切欠部の下端に拡幅部が形成されている請求項１に記載の水切り器。
【請求項３】
前記水切り容器は平面視で略三角形状を成し、前記切欠部は角部に形成されている請求項１又は２に記載の水切り器。
【発明の詳細な説明】
【技術分野】
【０００１】
本発明は、家庭の台所等において発生する生ゴミを一時的に収容するために使用される水切り器に関するものである。
【背景技術】
【０００２】
一般に、家庭の台所等の流し台のコーナーには調理の際に発生した生ゴミを一時的に収容するために籠状の水切り器が置かれている。この水切り器には、多数の小さな孔が穿設されており、水切り器内に収容された生ゴミ中に含まれる水分は重力による自然落下でこの孔から流し台に排出されるようになっている。そして、水切り器に溜まった生ごみはゴミ収集袋等に入れられて、所定のゴミ収集場所に運び出され、その後、焼却処理される（例えば、特許文献１参照）。
【先行技術文献】
【特許文献】
【０００３】
【特許文献１】特開２００８−３０９４４号公報
【発明の概要】
【発明が解決しようとする課題】
【０００４】
しかしながら、上記した従来の水切り器では、生ゴミ中の水分を重力による自然落下で流し台に排出させるようになっているため、生ゴミを水切り器にかなりの時間放置しておいたとしても生ゴミ中の水分を十分に切ることができない。したがって、かなりの量の水分を含んだままの生ゴミをゴミ収集袋等に入れてゴミ収集場所に持って行くことになるため、持ち運びに労力を要するといった問題や、移動中に生ゴミ中の水分が垂れ落ち、不衛生であるといった問題があった。
【０００５】
また、かなりの量の水分を含んだ生ゴミを焼却処理するには多くの消費エネルギーを必要とするため、地球温暖化の原因とされる二酸化炭素の削減が難しく、環境に悪い影響を与えるおそれがあるといった問題もあった。
【０００６】
そこで、生ゴミを水切りネット等の有孔の水切り袋に収容した上で水切り器内に収容し、生ゴミが溜まった水切り袋を水きり器からゴミ収集袋等に移動させる際に、水切り袋を手で絞り、生ゴミ中の水分を流し台に排出させることも行われているが、この場合には手が生ゴミで汚れるといった問題や、生ゴミ中に含まれる鋭利なもの等によって手が損傷するおそれがあるといった問題等があった。
【０００７】
本発明は、上記した課題を解決すべくなされたものであり、手が汚れたり、損傷したりすることなく、生ゴミ中の水分を確実に絞り取ることのできる水切り器を提供することを目的とするものである。
【課題を解決するための手段】
【０００８】
上記した目的を達成するため、本発明に係る水切り器は、生ゴミを収容した有孔の水切り袋を一時的に収容する有孔の水切り容器を備え、該水切り容器は、底板と周壁とを有し、上方が開口されており、前記周壁の上端から下方に向かってスリット状の切欠部が形成されており、前記生ゴミを収容した水切り袋の上部を上方から前記切欠部に挿入し、外側に引っ張ることにより、前記水切り袋内の生ゴミ中の水分が絞り取られ、前記水切り袋の孔及び前記水切り容器の孔を通って該水切り容器外へ排出されるように構成されていることを特徴とする。
【０００９】
そして、前記水切り容器の側壁には前記切欠部の下端に拡幅部が形成されているのが好ましい。
【００１０】
また、前記水切り容器は平面視で略三角形状を成し、前記切欠部は角部に形成されているのが好ましい。
【発明の効果】
【００１１】
本発明によれば、手が汚れたり、損傷したりすることなく、生ゴミ中の水分を確実に絞り取ることができる等、種々の優れた効果を得ることができる。
【図面の簡単な説明】
【００１２】
【図１】本発明の実施の形態に係る水切り器の一例を示す斜視図である。
【図２】本発明の実施の形態に係る水切り器を使用している状態を示す斜視図である。
【発明を実施するための形態】
【００１３】
以下、図面を参照しつつ、本発明の実施の形態について説明する。
【００１４】
図１は本発明の実施の形態に係る水切り器の一例を示す斜視図であり、この水切り器１０は、生ゴミを収容する有孔の水切り袋１１（図２参照）を一時的に収容する水切り容器１２を備えており、この水切り容器１２は、例えば、ステンレス製であり、平面視で略三角形状を成している。
【００１５】
水切り容器１２は、底板１３と周壁１４とを有し、上方が開口されており、底板１３及び周壁１４には多数の小さな孔１５が穿設されている。また、水切り容器１２の周壁１４の角部にはその上端から下方に向かってスリット状の切欠部１６が形成されており、切欠部１６の下端には切欠部１６より幅広の直径を有する円形状の拡幅部１７が形成されている。
【００１６】
図２に示すように、このような構成を備えた水切り器１０を使用する場合、先ず、生ゴミを収容した水切り袋１１の上部１８を束ねた状態で上方から切欠部１６に挿入し、そのまま降下させる。そして、水切り袋１１の上部１８が拡幅部１７まで降下したら、上部１８を外側に引っ張る。そうすると、水切り袋１１内の生ゴミ中の水分は、絞り取られて水切り袋１１の孔及び水切り容器１２の孔１５を通って水切り容器１２の外部の流し台へ排出される。
【００１７】
その後、このように水分が十分に絞り取られた生ゴミを収容した水切り袋１１をゴミ収集袋等に入れ、所定のゴミ収集場所に運び出し、焼却処理させる。
【００１８】
上記したように本発明の実施の形態に係る水切り器１０によれば、生ゴミ自体や水切り袋１１の生ゴミ収容部分１９に直接手が触れることがないため、手を汚したり、損傷させたりすることなく、生ゴミ中の水分を確実に絞り取ることができる。したがって、生ゴミを収容したゴミ収集袋等の持ち運びが容易になると共に、その持ち運び中に生ゴミ中の水分が垂れ落ちるのを防ぐことができ、衛生的である。
【００１９】
また、生ゴミ中の水分を十分に絞り取ることにより、生ゴミの焼却処理が容易となり、焼却処理時の消費エネルギーを最小限に抑制することができるため、地球温暖化の原因とされる二酸化炭素の削減が可能となり、環境への悪影響を防止することができる。
【００２０】
さらに、可動部等がなく、構造が極めてシンプルであるため、製造が容易となり、製造コストを抑制することができる。また、切欠部１６が角部に形成されているため、水切り時に、生ゴミを収容した水切り袋１１が水切り容器１２の内部で安定性よく収まるようになるため、水切り作業を効率よく行うことができるようになる。
【００２１】
なお、上記した本発明の実施の形態では、水切り容器１２がステンレス製で、平面視で略三角形状を成している場合について説明したが、これは単なる例示に過ぎず、水切り容器１２はプラスチック製又は銅製等、他の材質製であってもよく、また、その形状は平面視で円形又は矩形状等、他の形状を成していてもよい。
【００２２】
さらに、拡幅部１７の形状についても上記した円形状に限定されるものではなく、三角形状や矩形状等、他の形状であってもよく、また、切欠部１６のみを設け、必ずしも拡幅部１７を設けなくてもよい。
【００２３】
さらにまた、切欠部１６の設置位置は、上記した角部に限定されるものではなく、水切り容器１２の強度等を考慮に入れた上で各種変更が可能である。
【符号の説明】
【００２４】
１０          水切り器
１１          水切り袋
１２          水切り容器
１３          底板
１４          周壁
１５          孔
１６          切欠部
１７          拡幅部
１８          上部
【図１】
2011006187.tif 000003
【図２】
2011006187.tif 000004